(57)【特許請求の範囲】
【請求項１】
証券用紙基材（１）に、レンズ（Ｌ）の領域を有する透明高分子窓（Ｗ）を形成する方法であって、当該方法は、
証券用紙基材（１）を提供するステップと、
前記証券用紙基材（１）内に開口（１０）を形成するステップと、
一端で前記開口（１０）を閉じ、かつ、前記証券用紙基材（１）の第１側面（Ｉ）上に前記開口（１０）に位置合わせしてレンズ（Ｌ）を形成するように、前記証券用紙基材（１）の前記第１側面（Ｉ）上にレンズ（Ｌ）の領域を備える透明フィルム（５）を積層するステップと、
透明高分子材料（２）で前記開口（１０）を充填するステップと、を含む方法。
【請求項２】
証券用紙基材（１）に、レンズ（Ｌ）の領域を有する透明高分子窓（Ｗ）を形成する方法であって、前記方法は、
証券用紙基材（１）を提供するステップと、
前記証券用紙基材（１）内に開口（１０）を形成するステップと、
一端で前記開口（１０）を閉じるように、前記証券用紙基材（１）の第１側面（Ｉ）上に透明フィルム（５＊）を積層するステップと、
透明高分子材料（２）で前記開口（１０）を充填するステップと、
前記証券用紙基材（１）の前記第１側面（Ｉ）とは反対の第２側面（ＩＩ）上に前記開口（１０）に位置合わせしてレンズ（Ｌ）を形成するように、前記開口（１０）内に塗布された前記透明高分子材料（２）内にレンズ（Ｌ）の領域を複製するステップと、
を含み、 
前記透明高分子材料（２）が紫外線硬化性高分子材料である、方法。
【請求項３】
前記開口（１０）が、前記証券用紙基材（１）内に孔を打ち抜くことによって、又は、前記証券用紙基材（１）内に孔を切削することによって形成される、請求項１又は２に記載の方法。
【請求項４】
前記開口（１０）が機械的切削工具を用いて形成される、請求項３に記載の方法。
【請求項５】
前記開口（１０）がレーザビームを用いて形成される、請求項３に記載の方法。
【請求項６】
前記透明高分子材料（２）が紫外線硬化性高分子材料であり、かつ、前記紫外線硬化性高分子材料（２）が、前記証券用紙基材（１）の前記第１側面（Ｉ）とは反対の第２側面（ＩＩ）から硬化される、請求項１に記載の方法。
【請求項７】
前記透明高分子材料（２）が紫外線硬化性高分子材料であり、かつ、前記紫外線硬化性高分子材料（２）が、前記証券用紙基材（１）の前記第１側面（Ｉ）から前記透明フィルム（５＊）を通じて硬化される、請求項２に記載の方法。
【請求項８】
前記証券用紙基材（１）の前記第２側面（ＩＩ）がレンズ複製媒体（１７ａ；１７ａ’）の表面に接触している間、前記紫外線硬化性高分子材料（２）が複製ステップ中に硬化される、請求項７に記載の方法。
【請求項９】
前記透明高分子材料（２）が、少なくとも１つの塗布ユニット（１４；１４’、１４’’、１４’’’）を用いて塗布される、請求項１〜８のいずれか１項に記載の方法。
【請求項１０】
前記透明高分子材料（２）が、前記少なくとも１つの塗布ユニット（１４；１４’、１４’’、１４’’’）として作動する１以上のスクリーン印刷ユニットを用いて塗布される、請求項９に記載の方法。
【請求項１１】
証券用紙基材（１）内に形成された開口（１０）を透明高分子材料（２）で充填するように設計された装置であって、前記開口（１０）が、前記証券用紙基材（１）の第１側面（Ｉ）上に積層される透明フィルム（５；５＊）によって一端を閉じられるよう構成されており、前記装置は、前記証券用紙基材（１）の前記第１側面（Ｉ）を支持する第１シリンダ（１３；１３’）と、少なくとも第１塗布ユニット（１４；１４’）と、を含む塗布システム（Ａ；Ａ’）を備え、前記第１塗布ユニット（１４；１４’）は、前記証券用紙基材（１）が前記第１シリンダ（１３；１３’）によって支持されている間、前記証券用紙基材（１）の前記第１側面（Ｉ）とは反対の第２側面（ＩＩ）と協働して前記開口（１０）内に前記透明高分子材料（２）を塗布するものであり、
当該装置は、前記第１シリンダ（１３；１３’）の下流に配置された第２シリンダ（１７；１７’）をさらに備え、前記第２シリンダ（１７；１７’）は、前記証券用紙基材（１）の前記第２側面（ＩＩ）と協働し、かつ、その外周上にレンズ複製媒体（１７ａ；１７ａ’）を有し、前記レンズ複製媒体（１７ａ；１７ａ’）は、前記証券用紙基材（１）の前記第２側面（ＩＩ）上に前記開口（１０）に位置合わせしてレンズ（Ｌ）を形成するように前記開口（１０）内に塗布された前記透明高分子材料（２）内にレンズ（Ｌ）の領域を複製するように設計されるものであり、
前記透明高分子材料（２）が紫外線硬化性高分子材料であり、前記装置が、前記証券用紙基材（１）の前記第１側面（Ｉ）から前記透明フィルム（５＊）を通じて前記紫外線硬化性高分子材料（２）を硬化させるために、前記第２シリンダ（１７；１７’）と協働する紫外線硬化ユニット（１９；１９’）をさらに備える、装置。
【請求項１２】
前記証券用紙基材（１）の前記第１側面（Ｉ）と協働し、かつ、前記第２シリンダ（１７；１７’）の前記外周に対して前記証券用紙基材（１）を押圧する加圧ローラ（１８；１８’）をさらに備える、請求項１１に記載の装置。
【請求項１３】
前記塗布システム（Ａ’）が、少なくとも第２塗布ユニット（１４’’、１４’’’）をさらに含み、前記第２塗布ユニット（１４’’、１４’’’）は、前記証券用紙基材（１）が前記第１シリンダ（１３’）によって支持されている間、前記証券用紙基材（１）の前記第２側面（ＩＩ）と協働して前記開口（１０）内に前記透明高分子材料（２）を塗布し、前記第１及び第２塗布ユニット（１４’、１４’’、１４’’’）の各々は、前記開口（１０）を充填するために必要な前記透明高分子材料（２）の一部を塗布する、請求項１１又は１２に記載の装置。
【請求項１４】
前記透明高分子材料（２）が紫外線硬化性高分子材料であり、前記装置は、前記少なくとも第１及び第２塗布ユニット（１４’、１４’’、１４’’’）の間に配置された少なくとも１つの中間紫外線硬化ユニット（１５’、１５’’）をさらに備える、請求項１３に記載の装置。
【請求項１５】
各塗布ユニット（１４；１４’、１４’’、１４’’’）がスクリーン印刷ユニットである、請求項１１〜１４のいずれか１項に記載の装置。
【請求項１６】
証券用紙基材（１）内に形成された開口（１０）の一端を閉じるように前記証券用紙基材（１）の第１側面（Ｉ）上に透明フィルム（５：５＊）を積層するように設計された積層システムと、
透明高分子材料（２）で前記開口（１０）を充填するように設計された請求項１１〜１５のいずれか１項に記載の装置と、を備える加工機械。
【発明の詳細な説明】
【技術分野】
【０００１】
本発明は、概して、証券用紙基材へのレンズの領域（field）を有する透明高分子窓の形成に関する。
【背景技術】
【０００２】
証券用紙基材の側面上への透明フィルムの積層は、本出願人名義の国際（ＰＣＴ）公開第ＷＯ２００８／１０４９０４Ａ１号、国際公開第ＷＯ２００９／１１２９８９Ａ１号、国際公開第ＷＯ２０１０／００１３１７Ａ１号から公知であり、これらのすべての公開公報の全体が参照によって本明細書に組み込まれる。
【０００３】
レンズの領域を有する透明高分子窓を証券用紙基材に形成するために特に、これらの公知の解決策のさらなる改善が必要である。
【発明の概要】
【０００４】
従って、本発明の全般的な目的は従来技術の解決策を改善することである。
【０００５】
より具体的には、本発明の目的は、レンズの領域を有する透明高分子窓を証券用紙基材に適切に形成することを可能にする解決策を提供することである。
【０００６】
これらの目的は、請求項に列挙される解決策によって達成される。
【０００７】
特に、レンズの領域を有する透明高分子窓を証券用紙基材に形成する方法が特許請求され、その特徴が独立請求項１及び２に列挙される。この方法の好都合な実施形態は従属請求項の主題を形成する。
【０００８】
また、証券用紙基材内に形成された開口を透明高分子材料で充填するように設計された装置が特許請求され、当該開口は、証券用紙基材の第１側面上に積層される透明フィルムによって一端を閉じられ、当該装置の特徴は独立請求項１２に列挙される。この装置のさらに好都合な実施形態は従属請求項の主題を形成する。
【０００９】
また、（ｉ）証券用紙基材内に形成された開口の一端を閉じるように証券用紙基材の第１側面上に透明フィルムを積層するように設計された積層システムと、（ｉｉ）透明高分子材料で開口を充填するように設計された本発明に係る装置と、を備える加工機械が特許請求される。
【００１０】
本発明のさらに好都合な実施形態を以下に説明する。
【図面の簡単な説明】
【００１１】
本発明の他の特徴及び利点は、単に非限定的な例として提供されて添付の図形によって示される本発明の実施形態の以下の詳細な説明を読むことによってより明確になるであろう。
【００１２】
【図１Ａ】本発明の第１実施形態に係る、レンズの領域を有する透明高分子窓を証券用紙基材に形成する方法の一実施形態の連続ステップを概略的に示す断面図である。
【図１Ｂ】本発明の第１実施形態に係る、レンズの領域を有する透明高分子窓を証券用紙基材に形成する方法の一実施形態の連続ステップを概略的に示す断面図である。
【図１Ｃ】本発明の第１実施形態に係る、レンズの領域を有する透明高分子窓を証券用紙基材に形成する方法の一実施形態の連続ステップを概略的に示す断面図である。
【図１Ｄ】本発明の第１実施形態に係る、レンズの領域を有する透明高分子窓を証券用紙基材に形成する方法の一実施形態の連続ステップを概略的に示す断面図である。
【図２Ａ】本発明の第２実施形態に係る、レンズの領域を有する透明高分子窓を証券用紙基材に形成する方法の一実施形態の連続ステップを概略的に示す断面図である。
【図２Ｂ】本発明の第２実施形態に係る、レンズの領域を有する透明高分子窓を証券用紙基材に形成する方法の一実施形態の連続ステップを概略的に示す断面図である。
【図２Ｃ】本発明の第２実施形態に係る、レンズの領域を有する透明高分子窓を証券用紙基材に形成する方法の一実施形態の連続ステップを概略的に示す断面図である。
【図２Ｄ】本発明の第２実施形態に係る、レンズの領域を有する透明高分子窓を証券用紙基材に形成する方法の一実施形態の連続ステップを概略的に示す断面図である。
【図２Ｅ】本発明の第２実施形態に係る、レンズの領域を有する透明高分子窓を証券用紙基材に形成する方法の一実施形態の連続ステップを概略的に示す断面図である。
【図３】本発明の第１変形例に係る、証券用紙基材内に形成された開口を透明高分子材料で充填するように設計された装置の概略的な側面図であり、当該開口は、証券用紙の第１側面上に積層された透明フィルムによって一端を閉じられる。
【図４】本発明の第２変形例に係る、証券用紙基材内に形成された開口を透明高分子材料で充填するように設計された装置の概略的な側面図であり、当該開口は、証券用紙の第１側面上に積層された透明フィルムによって一端を閉じられる。
【発明を実施するための形態】
【００１３】
本発明は、連続シートの形態で提供される証券用紙基材内への透明高分子窓の形成に特に関連して説明され、証券用紙基材には、証券用紙基材の第１側面上に積層される透明フィルムによって一端を閉じられる開口が設けられる。
【００１４】
このようにして、証券用紙シート内に孔を打ち抜く（punch）又は切削する（cut）ことによる（例えばレーザ切断による）透明窓の形成後に、開口の一端を閉じるように証券用紙シートの第１側面上に透明フィルムを積層することは、本出願人名義の国際（ＰＣＴ）公開第ＷＯ２００８／１０４９０４Ａ１号、国際公開第ＷＯ２００９／１１２９８９Ａ１号、及び、国際公開第ＷＯ２０１０／００１３１７Ａ１号から公知であり、当該公開公報のすべての全体が参照によって本明細書に組み込まれる。このような解決策は、ＯｐｔｉＮｏｔａ（登録商標）Ｈ及びＯｐｔｉＷｉｎｄｏｗｓ（登録商標）の商標を付して当該出願人から販売されている。
【００１５】
このプロセスは、本発明の２つの特徴的な実施形態に関連して図１Ａ〜図１Ｃ及び図２Ａ〜図２Ｃによって概略的に図示されている。
【００１６】
図１Ａ〜図１Ｄに示すような本発明の第１実施形態に従って、証券用紙基材１に最初に開口１０すなわち貫通孔が設けられる。これは、証券用紙基材１の厚さを貫通する孔を打ち抜く又は切削することによって（例えば、適切な機械的切削工具を用いて又はレーザビームを用いて）実行されることが可能である。この開口１０は、任意の所望の形状及び／又は寸法を有することができる。開口１０は、その後、図１Ｃで示すように、証券用紙基材１の第１側面Ｉ上に積層される透明フィルム５によって一端を閉じられ、当該積層は、国際（ＰＣＴ）公開第ＷＯ２００８／１０４９０４Ａ１号、国際公開第ＷＯ２００９／１１２９８９Ａ１号及び国際公開第ＷＯ２０１０／００１３１７Ａ１号で教示される原理に従って実行され得る。
【００１７】
この第１実施形態によれば、透明フィルム５には、レンズＬの領域が既に設けられており、及び、透明フィルム５は、開口１０を閉じるように、かつ、証券用紙基材１の第１側面Ｉ上に開口１０に位置合わせしてレンズＬを形成するように積層される。レンズＬは、任意の所望の形状を示してもよく、及び、例えば、半円柱形レンズの並列配置、若しくは、例えば半球レンズ又は六角レンズなどの個々のレンズ素子の２次元配列で構成されてもよい。
【００１８】
透明フィルム５の積層後、開口１０は透明高分子材料２で充填される。この透明高分子材料２は、この第１実施形態では、証券用紙基材１の第１側面Ｉとは反対の第２側面ＩＩからの紫外線（ＵＶ）照射によって硬化される紫外線硬化性高分子材料であることが好ましい。
【００１９】
透明高分子材料２による開口１０の充填の結果として、証券用紙基材に透明高分子窓Ｗが形成され、透明高分子窓Ｗは、証券用紙基材１の厚さ程度の大きさの厚さＴ（レンズＬを含む）を示す。従って、透明高分子窓Ｗを備える証券用紙基材１には、レンズＬに相互作用して光学的に可変のセキュリティフィーチャを形成するように、レンズＬに位置合わせして第２側面ＩＩ上にパターンが適切に印刷されてもよく、セキュリティフィーチャは、証券用紙基材１の第１側面Ｉから窓Ｗ及びレンズＬを通じて観察可能である。
【００２０】
図２Ａ〜図２Ｅは、本発明の第２実施形態を示し、第１実施形態と同様に、証券用紙基材１には最初に開口１０が設けられ（図２Ｂ）、開口１０は、その後、証券用紙基材１の第１側面Ｉ上に積層される透明フィルム５＊によって一端を閉じられる（図２Ｃ）。第１実施形態とは対照的に、透明フィルム５＊にはいかなるレンズＬも設けられていない。
【００２１】
透明フィルム５＊の積層後、開口１０は同様に透明高分子材料２で充填される。第１実施形態とは対照的に、透明高分子材料２は、図２Ｄで示すようなさらなる加工ステップを受け、さらなる加工ステップは、証券用紙基材１の第１側面Ｉとは反対の第２側面ＩＩ上に開口１０に位置合わせしてレンズＬを形成するように、開口１０内に塗布された透明高分子材料２内にレンズＬの領域を複製することから構成される。
【００２２】
透明高分子材料２内へのレンズＬの複製は、透明高分子材料２のエリア内の証券用紙基材１の第２側面を、図２Ｄに概略的に示してそれぞれ参照符号１７ａ、１７ａ’で指定されるレンズ複製媒体に対して押圧することによって、実行されることが好ましい。このレンズ複製媒体１７ａ、１７ａ’は特に、透明高分子材料２にレンズを形成するように構成された対応のくぼみエリア（又は、代替的には起伏エリア）を備える適切なプレートの形状をとることができる。
【００２３】
第１実施形態と同様に、透明高分子材料２は、紫外線硬化性高分子材料であることが好ましい。しかしながら、この他の実施形態では、透明高分子材料２は、証券用紙基材１がレンズ複製媒体１７ａ、１７ａ’の表面に接触している間に（図２Ｄ参照）、証券用紙基材１の第１側面Ｉから透明フィルム５＊を通過した紫外線（ＵＶ）照射によって硬化されることが好ましい。
【００２４】
透明高分子材料２による開口１０の充填の結果として、証券用紙基材に透明高分子窓Ｗが形成され、透明高分子窓Ｗは、証券用紙基材１の厚さ程度の大きさの厚さＴ（レンズＬを含む）を示す。第１実施形態とは対照的に、レンズＬは、証券用紙基材１の第２側面ＩＩ上に形成される。従って、透明高分子窓Ｗを備える証券用紙基材１には、レンズＬと相互作用して光学的に可変のセキュリティフィーチャを形成するように、レンズＬに位置合わせして第１側面Ｉ上にパターンが適切に印刷されてもよく、セキュリティフィーチャは、証券用紙基材１の第２側面ＩＩから窓Ｗ及びレンズＬを通じて観察可能である。
【００２５】
このことは以下で理解されるように、透明高分子材料２は、塗布ユニットとしての１以上のスクリーン印刷ユニットを用いたスクリーン印刷によって塗布されることが好ましい。開口１０を充填するために十分な量の透明高分子材料２を適切に塗布するために２以上の塗布ユニットが必要な場合もある。
【００２６】
レンズＬは、１０〜５０μｍ程度のレンズピッチＰＬ及び１０〜２０μｍ程度のレンズ高さｈＬを有することが好ましい。それに比べて、証券用紙基材の全体の厚さＴは６０〜１２０μｍ程度である。
【００２７】
図３は、証券用紙基材１内に形成された開口１０を透明高分子材料２で充填するように設計された装置の第１変形例の図である。この装置は、例えば国際（ＰＣＴ）公開第ＷＯ２００８／１０４９０４Ａ１号で述べられたような積層システム（図示せず）の下流に適切に配置されることが可能であり、当該積層システムは、上述したように、証券用紙基材１に形成された開口１０の一端を閉じるように証券用紙基材１の第１側面Ｉ上に透明フィルム５、５＊をそれぞれ積層するように設計される。
【００２８】
図３の装置は、特に、積層されたフィルム５、５＊の切断の後に配置されるように設計されており、積層されたフィルム５、５＊は、図３の参照Ｂによって概略的に指定されたレーザビームを用いて切断されることが好ましい。積層されたフィルムの切断は、国際（ＰＣＴ）公開第ＷＯ２０１０／００１３１７Ａ１号の教示に従って実行されることが好ましい。図３の参照符号５０は、（積層されたフィルム５、５＊が切断される位置の上流の）積層システムの生成物（output）を概略的に示す一方で、参照符号５５は、透明高分子材料２の塗布前にシートを分離するために用いられる加速ドラムを概略的に示す。
【００２９】
図３に関連して、証券用紙基材１は、証券用紙基材１の第１側面Ｉを支持する第１シリンダ１３を備える塗布システムＡに移送される。この塗布システムＡは第１塗布ユニット１４をさらに備え、第１塗布ユニット１４は、証券用紙基材１に形成された開口１０内に透明高分子材料２を塗布するために第１シリンダ１３及び証券用紙基材１の第２側面ＩＩと協働するように設計される。この塗布ユニット１４はスクリーン印刷ユニットとして設計されることが好ましい。適切なスクリーン印刷ユニットは、例えば本出願人名義の欧州特許出願公開第ＥＰ０７２３８６４Ａ１号明細書に開示されており、当該出願は参照によって本明細書にその全体が組み込まれる。
【００３０】
第１シリンダ１３の下流には、証券用紙基材１の第２側面ＩＩと協働する第２シリンダ１７が設けられることが好ましい。この第２シリンダ１７は、（図２Ｄに概略的に示すように）レンズ複製媒体１７ａをその外周に有しており、レンズ複製媒体１７ａは、上述したように、開口１０に塗布された透明高分子材料２内にレンズＬの領域を複製するように設計される。塗布ユニット１４は、レンズ複製媒体１７ａのくぼみ部分を充填するのに十分な透明高分子材料２よりわずかに多い量を供給するように適合されてもよい。
【００３１】
証券用紙基材１の第１側面Ｉと協働して第２シリンダ１７の外周に対して証券用紙基材１を押圧し、それによって透明高分子材料２内でのレンズＬの適切な複製を確実にするために、加圧ローラ１８が好都合にさらに提供される。
【００３２】
装置は紫外線硬化ユニット１９をさらに備え、紫外線硬化ユニット１９は、証券用紙基材１がレンズ複製媒体１７ａに接触している間に証券用紙基材１の第１側面Ｉから透明フィルムを通じて紫外線硬化性高分子材料２を硬化させるため、第２シリンダ１７と協働する。
【００３３】
レンズＬの複製後、証券用紙基材１は、適切なシートグリッパシステム６０に移送され、シートグリッパシステム６０は、当技術分野で従来技術であるように、間隔を空けたグリッパバーを有する１対のエンドレスチェーン６２を備え、当該エンドレスチェーン６２は、１対が図３に示されて参照符号６１で指定される対をなすチェーンホイール同士の間で回転させられる。
【００３４】
自身のレンズ複製媒体１７ａを有する第２シリンダ１７は、図１Ａ〜図１Ｄで示す第１実施形態に従って、透明高分子窓Ｗを形成する場合には省略されてもよい。この場合、第１シリンダ１３に関連付けられるように、かつ、証券用紙基材１の第２側面ＩＩから紫外線硬化性高分子材料２を硬化させるように、紫外線硬化１９を提供することが適切であろう。
【００３５】
図４は、証券用紙基材１内に形成された開口１０を透明高分子材料２で充填するように設計された装置の第２変形例の図である。この装置は、例えば国際（ＰＣＴ）公開第ＷＯ２００８／１０４９０４Ａ１号で述べられるような積層システム（図示せず）の下流に適切に配置されることが可能であり、当該積層システムは、上述のように、証券用紙基材１に形成された開口１０の一端を閉じるように証券用紙基材１の第１側面Ｉ上に透明フィルム５、５＊をそれぞれ積層するように設計される。
【００３６】
図４の装置は、特に、積層されたフィルム５、５＊の切断の前に配置されるように設計される。図４では、積層されたフィルム５、５＊がそれぞれ、証券用紙基材１内に形成された開口１０内への透明高分子材料２の塗布後に切断される。積層されたフィルムの切断は、繰り返しになるが、図４の参照Ｂで概略的に指定されるレーザビームを用いて実行されることが好ましい。本質的には、積層されたフィルムの切断は、繰り返しになるが、国際（ＰＣＴ）公開第ＷＯ２０１０／００１３１７Ａ１号の教示に従って実行され得る。図４の参照符号５０は、同様に、（積層されたフィルム５、５＊がそれぞれ切断される場所の上流の）積層システムの生成物を概略的に示す一方で、参照符号５５は、透明高分子材料２の塗布後にシートを分離させるように用いられる加速ドラムを概略的に示す。
【００３７】
従って、図３の変形例とは対照的に、証券用紙基材１の個々のシートが、証券用紙基材１上に積層される透明フィルムによって互いに連結されたままの状態である間に証券用紙基材１が装置を通じて供給されることが理解されなければならない。証券用紙基材１のシートは、図４に示す装置の下流端で分離される。
【００３８】
構成要素１３’、１４’（同様に１４’’及び１４’’’）、１７’、１８’、１９’は、図３の構成要素１３、１４、１７、１８、１９と同様の目的を有する。
【００３９】
図３の装置とは対照的に、図４の装置の塗布システムＡ’は、開口１０を充填するために必要な透明高分子材料２の一部を塗布するように各々適合された（スクリーン印刷ユニットとして好都合に設計された）複数の塗布ユニット１４’、１４’’、１４’’’を含む。この場合、第１及び第２塗布ユニット１４’、１４’’の間、及び、第２及び第３塗布ユニット１４’’、１４’’’の間に、中間紫外線硬化ユニット１５’、１５’’をさらに提供することが適当であり得る。
【００４０】
添付の特許請求の範囲によって定義される本発明の範囲を逸脱しない限りにおいて様々な修正及び／又は改善が上述の実施形態になされてもよい。
【００４１】
特に、レンズ複製媒体１７ａ、１７ａ’のくぼみ部分に少量の透明高分子材料２を塗布するために証券用紙基材１が第２シリンダ１７、１７’に接触している位置の上流に、図３及び図４の第２シリンダ１７、１７’の外周と直接協働する追加の塗布ユニットをさらに提供することが適切であり得る。
【符号の説明】
【００４２】
１        証券用紙基材
Ｉ        証券用紙基材１の第１側面
ＩＩ      証券用紙基材１の第１側面Ｉとは反対の第２側面
Ｔ        証券用紙基材１の厚さ（６０〜１２０μｍの範囲）
Ｗ        証券用紙基材１に形成された透明高分子窓
Ｌ        （開口１０に位置合わせして）窓Ｗ上に形成されたレンズの領域
ＰＬ      レンズピッチ（隣接するレンズ同士の間の間隔−好ましくは１０〜５０μｍの範囲）
ｈＬ      レンズ高さ（好ましくは１０〜２０μｍの範囲）
２        証券用紙基材１内に形成された開口１０を充填するために用いられる透明高分子材料（特に、紫外線硬化性高分子材料）
５        証券用紙基材１の第１側面Ｉ上に積層された透明フィルム（第１実施形態−図１Ａ〜図１Ｄ）／レンズＬの領域を有する透明フィルム
５＊      証券用紙基材１の第１側面Ｉ上に積層された透明フィルム（第２実施形態−図２Ａ〜図２Ｅ）
１０      証券用紙基材１の厚さ内に形成された開口（貫通孔）
Ａ        塗布システム（第１変形例−図３）
１３      塗布ユニット１４と協働し、かつ、証券用紙基材１の第１側面Ｉを支持するシリンダ（第１変形例−図３）
１４      塗布ユニット、特に、スクリーン印刷ユニット（第１変形例−図３）
１７      その外周上に少なくとも１つのレンズ複製媒体１７ａを有し、かつ、証券用紙基材１の第２側面ＩＩと協働するレンズ複製シリンダ（第２シリンダ）（第１変形例−図３）
１７ａ    レンズ複製シリンダ１７が有するレンズ複製媒体（例えばレンズ複製プレート）
１８      証券用紙基材１の第１側面Ｉと協働し、かつ、レンズ複製シリンダ１７の外周に対して証券用紙基材を押圧する加圧ローラ
１９      レンズ複製シリンダ１７と協働して、証券用紙基材１の第１側面Ｉから透明フィルム５＊を通じて紫外線硬化性高分子材料２を硬化させる紫外線硬化ユニット
Ａ’      塗布システム（第２変形例−図４）
１３’    塗布ユニット１４’、１４’’、１４’’’と協働し、かつ、証券用紙基材１の第１側面Ｉを支持する（第１）シリンダ（第２変形例−図４）
１４’    （第１）塗布ユニット、特に、スクリーン印刷ユニット（第２変形例−図４）
１４’’    （第２）塗布ユニット、特に、スクリーン印刷ユニット（第２変形例−図４）
１４’’’  （第３）塗布ユニット、特に、スクリーン印刷ユニット（第２変形例−図４）
１５’    第１及び第２塗布ユニット１４’、１４’’の間に配置された中間紫外線硬化ユニット
１５’’    第２及び第３塗布ユニット１４’’、１４’’’の間に配置された中間紫外線硬化ユニット
１７’    その外周上に少なくとも１つのレンズ複製媒体１７ａ’を有し、かつ、証券用紙基材１の第２側面ＩＩと協働するレンズ複製シリンダ（第２シリンダ）（第２変形例−図４）
１７ａ’  レンズ複製シリンダ１７’が有するレンズ複製媒体（例えばレンズ複製プレート）
１８’    証券用紙基材１の第１側面Ｉと協働し、かつ、レンズ複製シリンダ１７’の外周に対して証券用紙基材を押圧する加圧ローラ
１９’    レンズ複製シリンダ１７’と協働して、証券用紙基材１の第１側面Ｉから透明フィルム５＊を通じて紫外線硬化性高分子材料２を硬化させる紫外線硬化ユニット
５０      フィルム積層機械のアウトプット（例えば、ＯｐｔｉＷｉｎｄｏｗ（登録商標）モジュールを有するＯｐｔｉＮｏｔａ（登録商標）Ｈ機械−例えば国際公開第ＷＯ２００８／１０４９０４Ａ１号、国際公開第ＷＯ２００９／１１２９８９Ａ１号及び国際公開第ＷＯ２０１０／００１３１７Ａ１号参照）
Ｂ        積層されたフィルムを切断するレーザビーム（例えば国際公開第ＷＯ２００８／１０４９０４Ａ１号、国際公開第ＷＯ２００９／１１２９８９Ａ１号及び国際公開第ＷＯ２０１０／００１３１７Ａ１号参照）
５５      シートを分離する加速ドラム
６０      シートグリッパシステム
６１      シートグリッパシステム６０のチェーンホイール
６２      シートグリッパシステム６０のエンドレスチェーン
【図１Ａ】
0006454343.tif 000002
【図１Ｂ】
0006454343.tif 000003
【図１Ｃ】
0006454343.tif 000004
【図１Ｄ】
0006454343.tif 000005
【図２Ａ】
0006454343.tif 000006
【図２Ｂ】
0006454343.tif 000007
【図２Ｃ】
0006454343.tif 000008
【図２Ｄ】
0006454343.tif 000009
【図２Ｅ】
0006454343.tif 000010
【図３】
0006454343.tif 000011
【図４】
0006454343.tif 000012